(57)【特許請求の範囲】
【請求項１】
複数の太陽電池モジュールをつなぎ合わせて構成した太陽光発電パネルと採光窓を設けた屋根であって、太陽光発電パネルに一の上記太陽電池モジュールに代えて採光機能を備えた採光パネルを設け、採光パネルの下方に採光窓を位置させ、採光パネルの透光ガラスの下方において採光窓の窓ガラスを保持している保持枠と周部の太陽電池モジュールとの間に遮炎用の金属板を付設して成ることを特徴とする屋根。
【請求項２】
採光窓の窓ガラスを保持する保持枠に窓ガラスの下面に結露した結露水を保持枠の外部の屋根側に流下させて排水する排水溝を形成して成ることを特徴とする請求項１記載の屋根。
【発明の詳細な説明】
【０００１】
【発明の属する技術分野】
本発明は、複数の太陽電池モジュールをつなぎ合わせて構成した太陽光発電パネルと採光窓を設けた屋根に関し、詳しくは、採光窓を形成しながら複数の太陽電池モジュールをつなぎ合わせて構成した太陽光発電パネルの設置の自由度を高め、かつ、屋根の外観を高めようとする技術に係るものである。
【０００２】
【従来の技術】
従来、図９に示すように、複数の太陽電池モジュール１…をつなぎ合わせて構成した太陽光発電パネル２と採光窓８を設けた屋根において、複数の太陽電池モジュール１…をつなぎ合わせて構成した太陽光発電パネル２を屋根に葺設する場合に、屋根に設けている採光窓８に規制されて太陽光発電パネル２を葺設する自由度が制限され、屋根面の広範囲にわたって太陽光発電パネル２を葺設することが困難となっていた。又、屋根の外観を高め難いものとなっていた。
【０００３】
【発明が解決しようとする課題】
本発明はこのような問題に鑑みてなされたものであり、採光窓を形成しながら複数の太陽電池モジュールをつなぎ合わせて構成した太陽光発電パネルの設置の自由度を高めることができ、かつ、屋根の外観を高めることができる屋根を提供することを課題とするものである。
【０００４】
【課題を解決するための手段】
請求項１に係る発明は、複数の太陽電池モジュール１…をつなぎ合わせて構成した太陽光発電パネル２と採光窓８を設けた屋根であって、太陽光発電パネル２に一の上記太陽電池モジュール１に代えて採光機能を備えた採光パネル３を設け、採光パネル３の下方に採光窓８を位置させ、採光パネル３の透光ガラス１２の下方において採光窓８の窓ガラス４を保持している保持枠５と周部の太陽電池モジュール１との間に遮炎用の金属板７を付設していることを特徴とするものである。このような構成によれば、採光窓８は太陽光発電パネル２の一の太陽電池モジュール１に代えて設けた採光パネル３の下方に位置していて、屋根に採光窓８を設けながら採光窓８に規制されることなく太陽光発電パネル２の施工をおこなうことができ、太陽光発電パネル２を屋根の面の広範囲にわたって施工が容易にでき、かつ、太陽光発電パネル２と採光窓８とを一体化できて屋根の外観を高めることができる。
更に、請求項１に係る発明においては、透光ガラス１２の下方において窓ガラス４を保持している保持枠５の周部には遮炎用の金属板７が存在していて、採光窓８の周部の遮炎（耐火）性を高めることができる。しかも、金属板７は採光パネル３の透光ガラス１２にて覆われている。
【０００５】
請求項２に係る発明は、採光窓８の窓ガラス４を保持する保持枠５に窓ガラス４の下面に結露した結露水を保持枠５の外部の屋根側に流下させて排水する排水溝６を形成していることを特徴とするものである。このような構成によれば、窓ガラス４の下面に結露して流下する結露水を保持枠５に形成した排水溝６から円滑に屋根側に排水することができ、窓ガラス４の結露水が屋根裏に侵入することがなくてよい。
【０００７】
【発明の実施の形態】
以下、本発明の実施の形態を説明する。図１（ａ）は概略斜視図、同図（ｂ）は概略断面図である。
【０００８】
屋根は複数の太陽電池モジュール１…をつなぎ合わせて構成した太陽光発電パネル２と採光窓８を設けている。太陽電池モジュール１は太陽の光エネルギーを電気エネルギーに変換する機能を持つ最小単位である太陽電池セルを多数接続して構成している。太陽電池モジュール１の複数をつなぎ合わせて太陽光発電パネル（アレイ）２を構成している。符号２４は瓦である。
【０００９】
本発明の屋根は、採光窓８を形成しながら複数の太陽電池モジュール１…をつなぎ合わせて構成した太陽光発電パネル２の設置の自由度を高め、かつ、屋根の外観を高めている。以下、詳述する。
【００１０】
図１乃至図３に示すように、太陽電池モジュール１の水上側（棟側）には、例えば、アルミニウムの押出成形品製の水上側フレーム９をパッキン１０を介装して取付け、太陽電池モジュール１の水下側（軒側）には、例えば、アルミニウムの押出成形品製の水下側フレーム１１を取付けている。又、太陽電池モジュール１と同寸法とした採光パネル３の透光ガラス１２の水上側には、上記水上側フレーム９をパッキン１０を介装して取付け、透光ガラス１２の水下側には、上記水下側フレーム１１を取付けている。しかして、太陽電池モジュール１は水上側フレーム９を屋根の野路板１３に載置して釘のような固定具１４にて固定し、水上側の太陽電池モジュール１の水下側フレーム１１を水上側フレーム９に載置して連結するのであり、同様に、水下側の太陽電池モジュール１の水上側フレーム９に採光パネル３の水下側フレーム１１を載置して連結し、又、採光パネル３の水上側フレーム９に水上側の太陽電池モジュール１の水下側フレーム１１を載置して連結するのである。ところで、太陽電池モジュール１…及び採光パネル３の棟軒方向とは直交する方向における互いの接続形態は種々の構成のものが考えられる。このように、太陽光発電パネル２に一の上記太陽電池モジュール１に代えて採光機能を備えた採光パネル３を組み込んで太陽光発電パネル２を構成するのである。このような太陽光発電パネル２の採光パネル３は、予め屋根に形成している採光窓８に相当する位置に組み込むのである。
【００１１】
図５乃至図７は採光窓８の施工及び採光窓８の上方に採光パネル３を施工する手順を示す説明図である。まず、図５に示すように、下地材として施工した野地板１３に開口１５を形成し、補強桟１６を裏打ちし、開口１５の周部に例えば鉛板１７を貼ってルーフィングの施工をおこなう。次に、図６に示すように、固定金具１８及び支持桟１９を取付け、遮炎用の金属板（鋼板）７を開口１５の周囲に敷設し、その後、窓ブロック２０をねじ具２１にて固定するのである。そして、野地板１３の上に太陽電池モジュール１…を、又、図７に示すように、採光窓８の上方に採光パネル３を施工するのである。
【００１２】
しかして、太陽光発電パネル２に一の上記太陽電池モジュール１に代えて採光機能を備えた採光パネル３を設け、採光パネル３の下方に採光窓８を位置させていることから、採光窓８は太陽光発電パネル２の一の太陽電池モジュール１に代えて設けた採光パネル３の下方に位置していて、屋根に採光窓８を設けながら採光窓８に規制されることなく太陽光発電パネル２の施工をおこなうことができ、太陽光発電パネル２を屋根の面の広範囲にわたって施工が容易にでき、かつ、太陽光発電パネル２と採光窓８とを一体化できて屋根の外観を高めることができるのである。この場合、窓ガラス４はその一部を野地板１３よりも下方にしていて窓ガラス４等が採光パネル３に当たらないようにしている。
【００１３】
採光窓８の窓ブロック２０は、周枠２５の上部に窓ガラス４を保持している保持枠５を取付け、保持枠５に一体化された取付枠２６を野地板１３の開口１５の周部の補強桟１６の上方になるように野地板１３の上に載置し、ねじ具２１で固定している。
【００１４】
採光窓８の窓ブロック２０において、窓ガラス４はガラス板２２、２２間に空所を形成して断熱複層形態のいわゆるペアガラスとして構成され、この窓ガラス４を保持する水下側の保持枠５には、窓ガラス４の下層のガラス板２２の下面に結露した結露水を保持枠５の外部の屋根側に流下させて排水する排水溝６を形成している。しかして、窓ガラス４の下面に結露して流下する結露水を保持枠５に形成した排水溝６から円滑に屋根側に排水することができ、窓ガラス４の結露水が屋根裏に侵入することがなく、排水された結露水は遮炎用の金属板７側へと導かれる。
【００１５】
ところで、保持枠５に排水溝６を形成する形態は、例えば、図１（ｂ）及び図２に示すように、水下側の保持枠５と窓ガラス４との間に間隔を隔ててセッティングブロック２３を配し、アルミニウムの押出成形品の保持枠５に排水溝６を形成する形態、或いは、図３に示すように、断面Ｌ字状の保持枠５の底部板５ａに排水孔６を形成するなど種々の形態がある。
【００１６】
更に、窓ブロック２０の周部において、窓ガラス４を保持している保持枠５と周部の太陽電池モジュール１…との間に遮炎用の金属板７を付設していることから、窓ガラス４を保持している保持枠５の周部には遮炎用の金属板７が存在していて、採光窓８の周部の遮炎（耐火）性を高めることができる。この場合、金属板７の一側端部が窓ブロック２０と野地板１３間に敷込まれ、外側端部太陽電池モジュール１の水上側フレーム９、水下側フレーム１１及び側部フレーム（図示せず）上に延出されて載置される。
【００１７】
【発明の効果】
請求項１に係る発明は、複数の太陽電池モジュールをつなぎ合わせて構成した太陽光発電パネルと採光窓を設けた屋根であって、太陽光発電パネルに一の上記太陽電池モジュールに代えて採光機能を備えた採光パネルを設け、採光パネルの透光ガラスの下方において採光窓の窓ガラスを保持している保持枠と周部の太陽電池モジュールとの間に遮炎用の金属板を付設しているから、採光窓は太陽光発電パネルの一の太陽電池モジュールに代えて設けた採光パネルの下方に位置していて、屋根に採光窓を設けながら採光窓に規制されることなく太陽光発電パネルの施工をおこなうことができ、太陽光発電パネルを屋根の面の広範囲にわたって施工が容易にでき、かつ、太陽光発電パネルと採光窓とを一体化できて屋根の外観を高めることができるという利点がある。
更に、請求項１に係る発明においては、透光ガラスの下方において窓ガラスを保持している保持枠の周部には遮炎用の金属板が存在していて、採光窓の周部の遮炎（耐火）性を高めることができるという利点がある。しかも、金属板は採光パネルの透光ガラスにて覆うことができるという利点がある。
【００１８】
請求項２に係る発明は、請求項１の効果に加えて、採光窓の窓ガラスを保持する保持枠に窓ガラスの下面に結露した結露水を保持枠の外部の屋根側に流下させて排水する排水溝を形成しているから、窓ガラスの下面に結露して流下する結露水を保持枠に形成した排水溝から円滑に屋根側に排水することができ、窓ガラスの結露水が屋根裏に侵入することがなくてよいという利点がある。
【図面の簡単な説明】
【図１】本発明の実施の一形態を示し、（ａ）は概略斜視図、（ｂ）は一部省略した概略断面図である。
【図２】同上の概略斜視図である。
【図３】他の実施の形態を示し、（ａ）は棟軒方向に沿う方向の断面図、（ｂ）は保持枠の概略斜視図、（ｃ）は断面図である。
【図４】同上の棟軒方向とは直交する方向の断面図である。
【図５】同上の採光窓の施工手順を示す説明図である。
【図６】同上の採光窓の施工手順を示す説明図である。
【図７】同上の採光窓の施工手順を示す斜視図である。
【図８】同上の水下側の保持枠の斜視図である。
【図９】従来例の概略斜視図である。
【符号の説明】
１  太陽電池モジュール
２  太陽光発電パネル
３  採光パネル
４  窓ガラス
５  保持枠
６  排水溝
７  金属板
８  採光窓
【図１】
0003724400.tif 000002
【図２】
0003724400.tif 000003
【図３】
0003724400.tif 000004
【図４】
0003724400.tif 000005
【図５】
0003724400.tif 000006
【図６】
0003724400.tif 000007
【図７】
0003724400.tif 000008
【図８】
0003724400.tif 000009
【図９】
0003724400.tif 000010